(57)【要約】【課題】照明手段への配線の取り回しが容易な手すりユニットおよび手すり設備を提供する。【解決手段】長尺な握り棒２１にＬＥＤユニット２２が内蔵された手すり本体２と、手すり本体２を支え、ＬＥＤユニット２２に接続した導線２３を内部に有するブラケット３とを備えた手すりユニット１である。また、長尺な握り棒２１にＬＥＤユニット２２が内蔵された手すり本体２をそれぞれ備えた複数の手すりユニット１が間隔をあけて連設された手すり設備１０であって、手すりユニット１は、壁面Ｗまたは壁面Ｗに取り付けられた補強材４の表面に固定された状態で手すり本体２を支え、ＬＥＤユニット２２に接続した導線２３を内部に有するブラケット３とを備えたものであり、隣り合う手すりユニット１の導線２３どうしは、ブラケット２３が固定された面の裏側で接続したものである。【選択図】図３
2015183394.tif 000002
【特許請求の範囲】
【請求項１】
長尺な手すり構成部材に照明手段が内蔵された手すり本体と、
前記手すり本体を支え、前記照明手段に接続した導線を内部に有するブラケットとを備えたものであることを特徴とする手すりユニット。
【請求項２】
前記手すり本体は、その手すり本体の端部となる開放端面から放音するスピーカを内蔵したものであることを特徴とする請求項１記載の手すりユニット。
【請求項３】
前記ブラケットは、前記手すり本体の端部に装着され、該手すり本体から見た開放端面を形成するものであって、該開放端面から放音するスピーカを内蔵したものであることを特徴とする請求項１記載の手すりユニット
【請求項４】
前記ブラケットは、壁面または該壁面に取り付けられた補強材に固定されるものであり、
前記照明手段は、照射方向が真下よりも前記壁面側に向けられたものであることを特徴とする請求項１から３のうちいずれか１項記載の手すりユニット。
【請求項５】
前記照明手段は、前記手すり構成部材の長手方向に配置された複数の光源を有するものであることを特徴とする請求項１から４のうちいずれか１項記載の手すりユニット。
【請求項６】
前記手すり構成部材は、長手方向に延在し前記導線に接続した電力供給ラインを有するものであり、
前記照明手段は、おもて面に光源を有し、裏面に前記電力供給ラインに接触する電極部を有するものであり、
前記光源は、前記電力供給ラインから前記電極部を経由して供給された電力によって発光するものであることを特徴とする請求項１から４のうちいずれか１項記載の手すりユニット。
【請求項７】
前記手すり構成部材と前記ブラケットは、一体に成形されたものであることを特徴とする請求項１から６のうちいずれか１項記載の手すりユニット。
【請求項８】
長尺な手すり構成部材に照明手段が内蔵された手すり本体をそれぞれ備えた複数の手すりユニットが間隔をあけて連設された手すり設備であって、
前記手すりユニットは、
壁面または該壁面に取り付けられた補強材の表面に固定された状態で前記手すり本体を支え、前記照明手段に接続した導線を内部に有するブラケットとを備えたものであり、
隣り合う前記手すりユニットの前記導線どうしは、前記ブラケットが固定された面の裏側で接続したものであることを特徴とする手すり設備。
【請求項９】
壁面に間隔をあけて取り付けられた、基体と蓋体を有するブラケットの間に、手すり本体が架設された手すり設備において、
前記基体は、固定部と、該固定部から、前記壁面とは反対側になる外側へ斜め上方に延設された連結部と、該連結部の上端に形成されて前記手すり本体が挿入され挿入された手すり本体を支持する支持部とが、一体的に形成されたものであり、
前記固定部が、表裏を貫通するねじ孔と、第１挿通孔とを有し、該ねじ孔にねじを通して前記壁面にねじ止めされたものであり、
前記連結部が、前記支持部の内周面に通ずる第２挿通孔を有するものであり、
前記手すり本体は、導線から電力が供給される一又は複数種類の電気部材を有するものであり、
前記第２挿通孔は、前記導線が挿通されたものであり、
前記第１挿通孔は、前記導線が挿通されたものであり、
前記蓋体は、前記導線の、前記第１挿通孔と前記第２挿通孔との間の部分と、前記ねじ孔に通されたねじの頭部とを含めて、前記連結部を外側から覆うものであることを特徴する手すり設備。
【請求項１０】
前記導線が、前記第１挿通孔から引き出された第１部分と、前記第２挿通孔から引き出された第２部分とを有し、前記第１部分と前記第２部分が結線されたものであることを特徴する請求項９記載の手すり設備。
【請求項１１】
前記電気部材が、照明手段であることを特徴する請求項９又は１０記載の手すり設備。
【請求項１２】
前記手すり本体は、長手方向に延在し前記導線に接続した電力供給ラインが設けられたものであり、
前記照明手段が、おもて面に光源を有し、裏面に前記電力供給ラインに接触する電極部を有するものであり、
前記光源は、前記電力供給ラインから前記電極部を経由して供給された電力によって発光するものであることを特徴とする請求項１１記載の手すり設備。
【請求項１３】
前記電気部材が、スピーカであることを特徴する請求項９から１２のうちいずれか１項記載の手すり設備。
【請求項１４】
前記支持部が、前記手すり本体の端部を支持するものであって、該手すり本体の端面を覆う開放端面を有するものであり、
前記スピーカが、前記手すり本体の端面と前記開放端面との間にクッション材で挟まれた状態で配置されたものであることを特徴する請求項１３記載の手すり設備。
【発明の詳細な説明】
【技術分野】
【０００１】
本発明は、長尺な手すり構成部材に照明手段やスピーカ等の電気部品が内蔵された手すり本体と、その手すり本体を支えるブラケットとを備えた手すりユニット、および、手すりユニットを壁面等に固定した手すり設備に関する。
【背景技術】
【０００２】
階段の昇り降りや廊下の歩行等を補助する手すりユニットが、階段や廊下等に設置される場合がある。このような手すりユニットには、壁面に固定されたブラケット等によって支えられた手すり本体を備えたものがあり、利用者は、この手すり本体を掴むことによって階段を昇り降りする際や廊下を歩行する際などに足腰にかかる負担を軽減することができる。しかしながら、例えば階段や廊下が暗い場合などに利用者が手すりユニットの存在に気付かないと、手すりユニットが利用者にとって障害物になってしまう場合がある。一方、建物側に備えられた蛍光灯などの照明器具を点灯させると必要以上に明るくなってしまい、消費電力の無駄が生じてしまったり、特に夜間にトイレに行く際には、明るさで目が覚めてしまう場合があるといった不都合もある。このため、建物側の照明器具を点灯させることなく、手すりユニットの存在や位置等を利用者に気付かせる工夫がなされた手すりユニットが提案されている（例えば、特許文献１〜特許文献３等参照）。
【０００３】
特許文献１記載の手すりユニットは、長尺な手すり構成部材と、この手すり構成部材の長手方向の端部に取り付けられた機能ユニットを有する手すり本体を備え、機能ユニットに照明装置を設けたものである。また、特許文献２記載の手すりユニットは、長尺な手すり構成部材の長手方向の中間部分に機構部が組み込まれた手すり本体を備え、この機構部に発光ダイオード等の光源を設けたものである。さらに、特許文献３記載の手すりユニットは、階段に立設した複数の支持部材に支えられた手すり構成部材と、この手すり構成部材に点灯表示具が設けられた手すり本体を備えたものである。これら特許文献１〜特許文献３記載の手すりユニットは、手すり本体に設けられた照明装置等の照明手段を点灯させることによって、建物側の照明器具を点灯させることなく、手すりユニットの存在等を利用者に気付かせようと試みたものである。
【先行技術文献】
【特許文献】
【０００４】
【特許文献１】特開２００４−３２０６号公報
【特許文献２】特開２００３−９７００５号公報
【特許文献１】特開２００５−１３３５２３号公報
【発明の概要】
【発明が解決しようとする課題】
【０００５】
しかしながら、特許文献１および特許文献２に記載された手すりユニットは、照明手段の電源として、機能ユニットや機構部に内蔵された電池を用いているため、その交換作業が必要になる。ここで、電池の交換作業を不要にするには、照明手段の電源に商用電源等を用いることが考えられるが、商用電源のコンセント等から照明手段までの配線の取り回しが難しい。また、特許文献３には、照明手段の電源に関する記載はないが、特許文献３記載の手すりユニットにおいても、照明手段の電源に商用電源等を用いる場合には、その配線の取り回しが難しい点は同様である。さらに、複数の手すりユニットが間隔をあけて連設された手すり設備が、廊下や階段に設置される場合がある。この手すり設備に用いられる手すりユニットに照明手段を設け、照明手段の電源に商用電源等を用いる場合にも、それぞれの照明手段への配線の取り回しが問題になる。また、このような配線の取り回しの問題は、手すりユニットに照明手段を設けた場合だけでなく、例えば、手すりユニットにスピーカ等の他の電気部品を設けた場合においても同様に生じるものである。
【０００６】
本発明は上記事情に鑑み、照明手段やスピーカ等の電気部品への配線の取り回しが容易な手すりユニットおよび手すり設備を提供することを目的とする。
【課題を解決するための手段】
【０００７】
上記目的を解決する本発明の手すりユニットは、長尺な手すり構成部材に照明手段が内蔵された手すり本体と、
前記手すり本体を支え、前記照明手段に接続した導線を内部に有するブラケットとを備えたものであることを特徴とする。
【０００８】
ここで、前記照明手段の光源は、発光ダイオード（以下、ＬＥＤという）であってもよいし、蛍光灯や白熱電球であってもよい。また、前記照明手段は、その光源が発光することで前記手すりユニットの存在や位置、形状等を利用者に知覚させるものであってもよいし、利用者の足元などを照らすものであってもよい。さらに、前記照明手段は、利用者が接近したことを人感センサ等が感知すると点灯するものであってもよいし、利用者が操作子を操作することで点灯するものであってもよい。
【０００９】
本発明の手すりユニットによれば、前記照明手段に接続した導線を内部に有するブラケットを備えたものであるため、該導線を該ブラケットの内部から、例えば、該ブラケットが取り付けられた壁面の裏側にまわすことができ、配線の取り回しが容易になる。
【００１０】
本発明の手すりユニットにおいて、前記手すり本体は、その手すり本体の端部となる開放端面から放音するスピーカを内蔵したものであってもよい。また、本発明の手すりユニットにおいて、前記ブラケットは、前記手すり本体の端部に装着され、該手すり本体から見た開放端面を形成するものであって、該開放端面から放音するスピーカを内蔵したものであってもよい。
【００１１】
ここで、前記ブラケットは、前記スピーカに接続したリード線等の導線を内部に有するものであってもよい。また、前記手すり本体は、前記手すり構成部材の長手方向が水平方向に一致する姿勢で支えられたものであってもよいし、前記手すりユニットが階段の壁面などに設置される場合には、前記手すり本体は、前記手すり構成部材の長手方向が水平方向に対して傾斜した姿勢で支えられたものであってもよい。前記手すり構成部材の長手方向が水平方向に対して傾斜した姿勢で支えられた態様では、前記スピーカは、該手すり構成部材の長手方向に放音するものであってもよいし、水平方向に放音するものであってもよい。
【００１２】
前記手すり本体が、前記開放端面から放音する前記スピーカを内蔵した態様、または前記ブラケットが、前記開放端面から放音する前記スピーカを内蔵した態様を採用することで、例えば、前記手すり構成部材から前記長手方向に離れた利用者に向けて放音することができる。これにより、前記スピーカから、例えば、前記手すりユニットの存在を知らせる音声等を放音することによって、前記長手方向に離れた利用者を該手すりユニットに効率的に誘導することができる。
【００１３】
また、本発明の手すりユニットにおいて、前記ブラケットは、壁面または該壁面に取り付けられた補強材に固定されるものであり、
前記照明手段は、照射方向が真下よりも前記壁面側に向けられたものであることが好ましい。
【００１４】
こうすることで、前記照明手段の光が利用者の目に直接入りにくくなり、該利用者が感じる眩しさを軽減することができる。
【００１５】
さらに、本発明の手すりユニットにおいて、前記照明手段は、前記手すり構成部材の長手方向に配置された複数の光源を有するものであってもよい。
【００１６】
ここで、前記複数の光源は、連続して発光させてもよいし、全て同時に、あるいは順番に点滅させてもよい。また、前記複数の光源は、前記手すり構成部材の長手方向における、一端側から他端側に向けて順番に発光あるいは点滅させてもよい。前記複数の光源を、前記手すり構成部材における、一端側から他端側に向けて順番に発光あるいは点滅させることで、例えば非常時に避難する方向を利用者に明確に示すことができる。さらに、前記複数の光源は、発光色や照度が異なる光源を組み合わせたものであってもよく、発光色や照度が異なる該複数の光源のうち、特定の発光色や照度の光源を選択して発光させてもよいし、発光色が異なる該複数の光源を同時に発光させてもよい。
【００１７】
また、本発明の手すりユニットにおいて、前記手すり構成部材は、長手方向に延在し前記導線に接続した電力供給ラインを有するものであり、
前記照明手段は、おもて面に光源を有し、裏面に前記電力供給ラインに接触する電極部を有するものであり、
前記光源は、前記電力供給ラインから前記電極部を経由して供給された電力によって発光するものであることが好ましい。
【００１８】
こうすることで、前記電極部を前記電力供給ラインに接触させるように前記照明手段を配置することによって前記光源に電力を供給することができる。
【００１９】
またさらに、本発明の手すりユニットにおいて、前記手すり構成部材と前記ブラケットは、一体に成形されたものであってもよい。
【００２０】
こうすることで、前記ブラケットを前記壁面等に固定すれば前記照明手段の照射方向が定まる。このため、例えば、前記照明手段の照射方向が所望の角度で前記壁面側に向くように前記手すり構成部材と前記ブラケットとを一体に成形することで、前記手すりユニットを該壁面等に取り付ける際に、該照明手段の照射方向の調整が不要になる。また、前記手すり構成部材と前記ブラケットとの間の段差をなくすことも容易になる。
【００２１】
上記目的を解決する本発明の手すり設備は、長尺な手すり構成部材に照明手段が内蔵された手すり本体をそれぞれ備えた複数の手すりユニットが間隔をあけて連設された手すり設備であって、
前記手すりユニットは、
壁面または該壁面に取り付けられた補強材の表面に固定された状態で前記手すり本体を支え、前記照明手段に接続した導線を内部に有するブラケットとを備えたものであり、
隣り合う前記手すりユニットの前記導線どうしは、前記ブラケットが固定された面の裏側で接続したものであることを特徴とする。
【００２２】
こうすることで、隣り合う該手すりユニット間に前記導線が接続される場合であっても配線の取り回しが容易になる。
【００２３】
ここで、前記手すり設備は、前記複数の手すりユニットが、廊下に、前記手すり構成部材の長手方向に間隔をあけて連設されたものであってもよい。また、前記手すり設備は、前記複数の手すりユニットが、廊下や階段の踊り場と、階段とが接続する箇所を挟んで間隔をあけて連設されたものであってもよい。さらに、前記手すり設備は、前記複数の手すりユニットが、廊下の曲り角を挟んで間隔をあけて連設されたものであってもよい。
【００２４】
上記目的を解決する本発明の手すり設備は、壁面に間隔をあけて取り付けられた、基体と蓋体を有するブラケットの間に、手すり本体が架設された手すり設備において、
前記基体は、固定部と、該固定部から、前記壁面とは反対側になる外側へ斜め上方に延設された連結部と、該連結部の上端に形成されて前記手すり本体が挿入され挿入された手すり本体を支持する支持部とが、一体的に形成されたものであり、
前記固定部が、表裏を貫通するねじ孔と、第１挿通孔とを有し、該ねじ孔にねじを通して前記壁面にねじ止めされたものであり、
前記連結部が、前記支持部の内周面に通ずる第２挿通孔を有するものであり、
前記手すり本体は、導線から電力が供給される一又は複数種類の電気部材を有するものであり、
前記第２挿通孔は、前記導線が挿通されたものであり、
前記第１挿通孔は、前記導線が挿通されたものであり、
前記蓋体は、前記導線の、前記第１挿通孔と前記第２挿通孔との間の部分と、前記ねじ孔に通されたねじの頭部とを含めて、前記連結部を外側から覆うものであることを特徴する。
【００２５】
本発明の手すり設備によれば、前記導線の配線の取り回しが容易になるとともに、前記導線の、前記第１挿通孔と前記第２挿通孔との間の部分と、前記ねじ孔に通されたねじの頭部とを前記蓋体によって隠すことができる。
【００２６】
本発明の手すり設備において、前記導線が、前記第１挿通孔から引き出された第１部分と、前記第２挿通孔から引き出された第２部分とを有し、前記第１部分と前記第２部分が結線されたものであってもよい。
【００２７】
こうすることで、前記導線の配線の取り回しがより容易になる。
【００２８】
また、本発明の手すり設備において、前記電気部材が、照明手段であってもよい。
【００２９】
さらに、本発明の手すり設備において、前記手すり本体は、長手方向に延在し前記導線に接続した電力供給ラインが設けられたものであり、
前記照明手段が、おもて面に光源を有し、裏面に前記電力供給ラインに接触する電極部を有するものであり、
前記光源は、前記電力供給ラインから前記電極部を経由して供給された電力によって発光するものであることが好ましい。
【００３０】
また、本発明の手すり設備において、前記電気部材が、スピーカであってもよい。
【００３１】
ここで、前記電気部材は、振動を発生するバイブレータであってもよい。
【００３２】
さらに、本発明の手すり設備において、前記支持部が、前記手すり本体の端部を支持するものであって、該手すり本体の端面を覆う開放端面を有するものであり、
前記スピーカが、前記手すり本体の端面と前記開放端面との間にクッション材で挟まれた状態で配置されたものであることが好ましい。
【００３３】
こうすることで、前記スピーカから出力された音声等の、いわゆるビビリ等が抑えられるとともに、前記手すり本体における長手方向の寸法誤差なども吸収することができる。
【発明の効果】
【００３４】
本発明によれば、照明手段やスピーカ等の電気部品への配線の取り回しが容易な手すりユニットおよび手すり設備を提供することができる。
【図面の簡単な説明】
【００３５】
【図１】本発明の一実施形態である手すりユニットを廊下に設置した手すり設備の一例を示す側面図である。
【図２】（ａ）は、図１に示す手すり本体の分解斜視図であり、（ｂ）は、図１に示すブラケットの分解斜視図である。
【図３】（ａ）は、図１に示す手すりユニットのＡ部を拡大して示す図であり、（ｂ）は、図１に示す手すりユニットのＢ−Ｂ断面図である。
【図４】（ａ）は、図１に示す手すりユニットのＣ部を拡大して斜めから示す分解斜視図であり、（ｂ）は、本実施形態の変形例における、（ａ）に対応した態様を示す斜視図である。
【図５】（ａ）は、手すり本体の変形例における端部を、握り棒の長手方向に見た図であり、（ｂ）は、（ａ）に示す基板を握り棒に固定する状態を説明するための図である。
【図６】（ａ）は、第２実施形態の手すり設備における、図３（ａ）に対応した態様を示す図であり、（ｂ）は、第２実施形態の手すり設備における、図３（ｂ）に対応した態様を示す図である。
【図７】第２実施形態の手すり設備における、図４（ａ）に対応した態様を示す分解斜視図である。
【図８】本発明の第３実施形態の手すり設備を、階段とその踊り場に設置した例を示す側面図である。
【発明を実施するための形態】
【００３６】
以下、図面を参照して本発明の実施の形態を説明する。
【００３７】
図１は、本発明の一実施形態である手すりユニットを廊下に設置した手すり設備の一例を示す側面図である。
【００３８】
図１に示すように、本実施形態の手すり設備１０に用いられる手すりユニット１は、２本の手すり本体２と、これら手すり本体２，２を支える３つのブラケット３を備えたものである。これら３つのブラケット３は、壁面Ｗに取り付けられた補強材４の表面に水平方向に互いに間隔をあけて固定されている。以下、図の左側に示すブラケット３を第１端部ブラケット３０１と称することがあり、図の右側に示すブラケット３を第２端部ブラケット３０２と称することがある。また、第１端部ブラケット３０１と第２端部ブラケット３０２との間に示されたブラケットを中間ブラケット３０３と称することがある。第１端部ブラケット３０１と中間ブラケット３０３には、一方の手すり本体２の端部がそれぞれ支えられ、中間ブラケット３０３と第２端部ブラケット３０２には、他方の手すり本体２の端部がそれぞれ支えられている。なお、本実施形態では、手すり本体２の高さを、床面から８０ｃｍ程度の位置に設定している。天井Ｃには、人感センサ５が設けられている。この人感センサ５は、手すりユニット１に接近した利用者を感知するためのものである。
【００３９】
図１では、左右方向が、後述する握り棒の長手方向になり、以下、握り棒の長手方向を手すりユニット１の長手方向とも称することがある。また、以下では、握り棒の長手方向や手すりユニット１の長手方向を基準にして説明する場合がある。
【００４０】
図２（ａ）は、図１に示す手すり本体の分解斜視図である。なお、図２（ａ）では、後述するＬＥＤユニットを示すため、このＬＥＤユニットを上方に向けた状態を示している。
【００４１】
図２（ａ）に示すように、手すり本体２は、握り棒２１と、ＬＥＤユニット２２と、ＬＥＤユニット２２に一端側が接続した導線２３と、照明カバー２４を備えている。握り棒２１は長尺なものであり、本発明における手すり構成部材の一例に相当する。本実施形態では、握り棒２１は木製であり、その長手方向の長さが例えば９００ｍｍ程度に設定されている。また、握り棒２１には、その長手方向に延在した凹部２１１が形成されている。ＬＥＤユニット２２は、基板２２１と、この基板２２１のランド部２２１ａに実装されたＬＥＤ２２２を有するものであり、基板２２１が、握り棒２１における凹部２１１の底面２１１ａに固定されている。本実施形態では、２枚の基板２２１が、握り棒２１の長手方向に配置され、この基板２２１には、複数のランド部２２１ａが握り棒２１の長手方向に所定の間隔をあけて設けられている。また、本実施形態では、それぞれの基板２２１に、６つのＬＥＤ２２２が実装されている。すなわち、ＬＥＤ２２２は、握り棒２１の長手方向に所定の間隔をあけて配置されている。ＬＥＤ２２２は、その発光色が限られるものではないが、本実施形態では、青白色、蛍光灯色、電球色、あるいは赤白色等の中から１種類の発光色のＬＥＤ２２２を選択して基板２２１に実装している。図１に示すように、手すり本体２の高さが床面Ｆから８０ｃｍ程度になるように手すりユニット１を設置した場合、各発光色のＬＥＤ２２２における床面Ｆ付近の照度は、青白色が２５ルクス〜３５ルクス、蛍光灯色が２０ルクス〜３０ルクス、電球色が７ルクス〜１７ルクス、赤白色が２０ルクス〜３０ルクスである。非常階段や倉庫の照度は、一般的に２０ルクス〜５０ルクス程度といわれており、本実施形態では、床面Ｆの照度が、非常階段や倉庫における一般的な照度の範囲の下限側、あるいは非常階段や倉庫における一般的な照度よりも低くなるように設けられている。なお、非常階段や倉庫における一般的な照度の範囲の下限側、あるいは非常階段や倉庫における一般的な照度よりも低い照度のＬＥＤ２２２を用いてもよい。また、基板２２１に、複数の発光色のＬＥＤ２２２を実装しておき、そのうちのいずれか１色のＬＥＤ２２２を選択して発光させてもよいし、複数の発光色のＬＥＤ２２２を同時に発光させてもよい。
【００４２】
導線２３は、商用電源から供給される電力をＬＥＤユニット２２に供給するものである。図示は省略するが、商用電源のコンセントに接続したＡＣアダプタが電源ボックス等に接続し、この電源ボックス等から延びる分配線が導線２３に接続される。商用電源からＡＣアダプタに交流電力が入力されると、ＡＣアダプタから１２Ｖあるいは２４Ｖの直流電力が出力され、この直流電力が電源ボックス等に供給される。この電源ボックスから、分配線と導線２３を流れてＬＥＤユニット２２に直流電力が供給され、ＬＥＤユニット２２のＬＥＤ２２２が発光する。すなわち、ＬＥＤユニット２２は、本発明における照明手段の一例に相当し、ＬＥＤ２２２が本発明における光源の一例に相当する。なお、光源として、蛍光灯や白熱電球を用いることもできる。ただし、ＬＥＤは、消費電力が少なく、また、発熱量も少ないため手すり本体２が熱くならない。このため、光源としてＬＥＤを用いることが好ましい。手すり本体２における各基板２２１の回路は、導線やはんだ付け等によって並列に接続され、図１に示す２本の手すり本体２におけるそれそれの基板２２１どうしの回路も不図示の導線等によって並列に接続されている。
【００４３】
照明カバー２４は、例えばポリカーボネイト製の半透明のものであり、握り棒２１の長手方向にわたって凹部２１１に取り付けられることで、凹部２１１内に固定されたＬＥＤユニット２２を覆うものである。なお、照明カバー２４は、その長手方向の長さが、握り棒２１の長手方向の長さよりも若干短寸に設定されている。
【００４４】
図２（ｂ）は、図１に示すブラケットの分解斜視図である。この図２（ｂ）では、左下方と右上方とを結ぶ方向が、握り棒２１の長手方向に相当する。ここでは、中間ブラケット３０３を例に挙げて説明し、第１端部ブラケット３０１と第２端部ブラケット３０２については、中間ブラケット３０３との違いを後述する。
【００４５】
図２（ｂ）に示すように、中間ブラケット３０３は、ブラケット本体３１と、蓋体３２を備えている。ブラケット本体３１は、例えば金属製の一体のものであり、図１に示す補強材４の表面に固定される固定部３１１と、手すり本体２の端部を支える支持部３１２と、固定部３１１と支持部３１２とを連結する連結部３１３を有している。固定部３１１には、ねじ孔３１１ａと、第１挿通孔３１１ｂが設けられている。ブラケット本体３１は、ねじ孔３１１ａに挿通されるねじ３３（図３（ａ）参照）によって補強材４に固定される。支持部３１２は、握り棒２１の長手方向における両側が開放したものであり、円筒状の内周面３１２ａを有している。この内周面３１２ａに、握り棒２１の長手方向における両側それぞれから、手すり本体２の端部が突き合わされるように挿入され、不図示のねじ等によって手すり本体２，２と中間ブラケット３０３が固定される。また、連結部３１３には、支持部３１２の内周面３１２ａに通ずる第２挿通孔３１３ａが設けられている。蓋体３２は、例えば樹脂製のものであり、ブラケット本体３１の、固定部３１１と連結部３１３に着脱自在に取り付けられる。ブラケット本体３１に蓋体３２が取り付けられた状態では、ブラケット本体３１と蓋体３２との間に、所定の空間が形成され、この空間に第２挿通孔３１３ａと第１挿通孔３１１ｂそれぞれが開口した状態になる。この空間が、本発明におけるブラケットの内部の一例に相当する。
【００４６】
図３（ａ）は、図１に示す手すりユニットのＡ部を拡大して示す図であり、図３（ｂ）は、図１に示す手すりユニットのＢ−Ｂ断面図である。図３（ａ）では、左右方向が握り棒の長手方向になり、図３（ｂ）では、紙面と直交する方向が握り棒の長手方向になる。なお、図３（ａ）では、図面を簡略化するため、壁面は省略している。
【００４７】
図３（ａ）に示すように、第２端部ブラケット３０２は、支持部３１２における、握り棒２１の長手方向の一方側（図では右側）が、壁部３１２１で閉塞されている点が、図２（ｂ）に示す中間ブラケット３０３と相違する。この壁部３１２１は、手すり本体２から見た開放端面を形成するものである。第２端部ブラケット３０２には、その支持部３１２における、握り棒２１の長手方向の他方側（図では左側）に手すり本体２の端部が挿入され、不図示のねじ等によって第２端部ブラケット３０２に手すり本体２が固定されている。
【００４８】
図３（ｂ）に示すように、補強材４には、第２端部ブラケット３０２の第１挿通孔３１１ｂに対応する箇所に、補強材挿通孔４ａが設けられている。また、補強材４には、壁面Ｗに取り付けられる側の面に、握り棒２１の長手方向に延在した溝部４ｂが形成されている。この溝部４ｂと壁面Ｗによって握り棒２１の長手方向に延在した空間が画定されている。以下、この空間を配線空間Ｖと称することがある。
【００４９】
図３（ａ）および同図（ｂ）に示すように、ＬＥＤユニット２２に接続した導線２３は、第２端部ブラケット３０２の第２挿通孔３１３ａに挿通され、ブラケット本体３１と蓋体３２との間の空間、すなわち第２端部ブラケット３０２の内部に入り込んでいる。さらに、導線２３は、第２端部ブラケット３０２の内部から、第１挿通孔３１１ｂと補強材挿通孔４ａに挿通され、配線空間Ｖまで延び、電源ボックス等から延びる不図示の分配線等に接続されている。すなわち、第２端部ブラケット３０２は、ＬＥＤユニット２２に接続した導線２３を内部に有するものである。これにより、ＬＥＤユニット２２への配線の取り回しを容易にすることができる。
【００５０】
図３（ｂ）では、ＬＥＤユニット２２の照射範囲を二点鎖線で示している。本実施形態では、ＬＥＤユニット２２の照射方向が真下よりも壁面Ｗ側に向けられている。ここでいう、照射方向が真下よりも壁面Ｗ側に向けられているとは、照射範囲における幅方向の中心が真下よりも壁面Ｗ側に向けられていることを意味する。このように、ＬＥＤユニット２２の照射方向を真下よりも壁面Ｗ側に向けることで、ＬＥＤの光が利用者の目に直接入りにくくなり、利用者が感じる眩しさを軽減することができる。
【００５１】
図４（ａ）は、図１に示す手すりユニットのＣ部を拡大して斜めから示す分解斜視図である。なお、図４（ａ）では、左斜め下方と右斜め上方とを結ぶ方向が、握り棒２１の長手方向になる。また、図４（ａ）では、図面を簡略化するため、壁面は省略している。
【００５２】
図４（ａ）に示すように、第１端部ブラケット３０１は、スピーカ６を内蔵し、支持部３１２に装着されるキャップ３１２２を有する点が、図２（ｂ）に示す中間ブラケット３０３と相違する。第１端部ブラケット３０１には、その支持部３１２に、握り棒２１の長手方向の一方側から手すり本体２の端部が挿入され、不図示のねじ等によって第１端部ブラケット３０１に手すり本体２が固定されている。また、支持部３１２に、握り棒２１の長手方向の他方側からスピーカ６が挿入され、支持部３１２内にスピーカ６が遊嵌状態で配置されている。なお、スピーカ６は、例えばクッション性に優れた緩衝シート等を用いることで、支持部３１２内に遊嵌状態で配置してもよい。このスピーカ６の前方に位置するように、支持部３１２にキャップ３１２２が取り付けられる。すなわち、第１端部ブラケット３０１は、手すり本体２の端部に装着され、第１端部ブラケット３０１のキャップ３１２２が、手すり本体２から見た開放端面を形成するものであって、この開放端面であるキャップ３１２２から放音するスピーカ６を内蔵したものである。本実施形態では、スピーカ６から出力された音声等は、キャップ３１２２から略水平方向に放音される。
【００５３】
また、スピーカ６はリード線等の導線６１を有するものであり、この導線６１は、図３（ｂ）に示す、ＬＥＤユニット２２に接続した導線２３と同様にして、第２挿通孔３１３ａ（図３（ｂ）参照）に挿通されて第１端部ブラケット３０１の内部に入り込み、第２挿通孔３１３ａと補強材挿通孔４ａ（図３（ｂ）参照）に挿通されて、配線空間Ｖに延びている。これにより、スピーカ６の導線６１についても、その配線の取り回しを容易にすることができる。なお、配線空間Ｖまで延びた導線６１は、不図示のアンプ等に接続されている。
【００５４】
次いで、上述した手すり設備１０を利用する態様の一例について説明する。
【００５５】
図１に示す、廊下の天井Ｃに設けられた人感センサ５が、手すりユニット１に接近する利用者を検知すると、図２（ａ）および図３（ｂ）に示すＬＥＤユニット２２に電力が供給され、ＬＥＤ２２２が発光する。これにより、建物側の照明器具が点灯していない暗い状態であっても、利用者は、手すりユニット１の存在や位置、形状等を明確に認識することができ、手すりユニット１を安全に使用することができる。また、図３（ｂ）に示すように、ＬＥＤユニット２２の照射方向が真下よりも壁面Ｗ側に向けられているため、利用者が感じる眩しさを軽減することができる。さらに、本実施形態では、例えば、発光色が青白色のＬＥＤ２２２を用いた場合には、床面Ｆ付近における照度が、２５ルクス〜３５ルクス程度になる。これにより、床面Ｆに段差があったり床面Ｆに障害物が置いてあったりしても、利用者は十分に段差や障害物を認識することができる。また、例えば、夜間にトイレに行く際など、明るすぎて目が覚めてしまうようなことも生じにくくなる。なお、ＬＥＤユニット２２の操作子を設け、この操作子を利用者が操作するとＬＥＤユニット２２が点灯する態様を採用してもよい。
【００５６】
さらに、ＬＥＤユニット２２の点灯と併せて、図４（ａ）に示す、第１端部ブラケット３０１に内蔵されたスピーカ６から音声等を出力し、この出力された音声等をキャップ３１２２から水平方向に放音する。これにより、手すりユニット１に近づいてくる利用者に、音声等によって手すりユニット１の存在等を知らせることもでできる。さらに、本実施形態では、第１端部ブラケット３０１から水平方向に放音されるため、これを聞いた利用者は方向性を判断しやすくなる。このため、例えば非常時などに、「音の聞こえる方向に避難してください」などの音声を放音することで、利用者に避難方向を示しやすい。本実施形態では、第１端部ブラケット３０１にスピーカ６を内蔵させているが、同様にして第２端部ブラケット３０２にもスピーカ６を内蔵させる態様も採用することができる。例えば、第１端部ブラケット３０１と第２端部ブラケット３０２からタイミングを異ならせて放音することによって、非常時など、利用者に避難方向をより示しやくなる。
【００５７】
また、握り棒２１の長手方向に配置された複数のＬＥＤ２２２を、握り棒２１の長手方向における一端側から他端側に順番に発光させてもよい。このように複数のＬＥＤ２２２を順番に発光させることによっても、非常時などに利用者に避難する方向を示すことができる。
【００５８】
次に、本実施形態の変形例について説明する。以下の説明では、これまで説明した構成要素の名称と同じ名称の構成要素には、これまで用いた符号を付して説明し、重複する説明は省略することがある。
【００５９】
図４（ｂ）は、本実施形態の変形例における、図４（ａ）に対応した態様を示す斜視図である。
【００６０】
図４（ｂ）に示すように、本変形例では、手すり本体２における、端部よりも長手方向の中央よりの部分を、中間ブラケット３０３によって支えている。手すり本体２の端部側の部分は、中空に形成され、この空間にスピーカ６が内蔵されている。また、手すり本体２の端部には、スピーカ６の前方を塞ぐようにキャップ２５が取り付けられる。なお、スピーカ６に接続した不図示の導線は、図３（ｂ）に示す、ＬＥＤユニット２２に接続した導線２３と同様に、配線空間Ｖまで配線されている。本変形例によっても、スピーカ６から出力した音声等を、キャップ２５から水平方向に放音することができる。キャップ２５は、本発明における、手すり本体の端部となる開放端面に相当するものであり、本変形例における手すり本体２は、開放端面から放音するスピーカ６を内蔵したものである。
【００６１】
図５（ａ）は、手すり本体の変形例における端部を、握り棒の長手方向に見た図である。この図５（ａ）では、紙面と直交する方向が握り棒の長手方向になる。図５（ｂ）は、同図（ａ）に示す基板を握り棒に固定する状態を説明するための図である。
【００６２】
図５（ａ）に示すように、本変形例の手すり本体２は、その握り棒２１の凹部２１１における底面２１１ａに、凹部２１１の幅方向（図では左右方向）に間隔をあけて２つの電極テープ２１２が貼着されている。これら電極テープ２１２は、凹部２１１の長手方向の略全長にわたって延在し、図５（ａ）では不図示の導線２３が接続したものである。すなわち、これら電極テープ２１２は、本発明における電力供給ラインの一例に相当する。図５（ａ）および同図（ｂ）に示すように、基板２２１には、ＬＥＤ２２２が実装されたおもて面側から裏面側に貫通したスルーホール電極２２３が２つ設けられている。図５（ｂ）に示すように、これらスルーホール電極２２３は、基板２２１の長手方向における一方側（ここでは、電力供給箇所側）の端部部分に設けられている。基板２２１には、その長手方向における中間よりも一方側の部分にねじ孔２２４が設けられており、このねじ孔２２４にねじが挿通され、このねじによって基板２２１が凹部２１１の底面２１１ａに固定されている。なお、基板２２１における、その長手方向における中間よりも他方側（ここでは、電力供給箇所とは反対側）の部分をねじ等によって固定すると、バネ効果によって基板２２１が反り、スルーホール電極２２３が、電極テープ２１２から離間しやすくなるため好ましくない。また、図示は省略するが、図５（ｂ）に示す基板２２１に対して凹部２１１の底面２１１ａに並べて固定される隣の基板２２１にも同様にスルーホール電極２２３が設けられている。この隣の基板２２１も、同様にねじで凹部２１１の底面２１１ａに固定することで、各基板２２１の回路が電気的に接続される。本変形例によれば、各基板２２１の回路どうしを導線やはんだ付け等によって接続する必要がなくなる。
【００６３】
次いで、手すりユニット１を壁面に固定した第２実施形態の手すり設備について説明する。以下の説明では、図１〜図４に示す、手すりユニット１を補強材４に固定した手すり設備１０との相違点を中心に説明し、これまで説明した構成要素の名称と同じ名称の構成要素には、これまで用いた符号を付して説明し、重複する説明は省略することがある。
【００６４】
図６（ａ）は、第２実施形態の手すり設備における、図３（ａ）に対応した態様を示す図であり、図６（ｂ）は、第２実施形態の手すり設備における、図３（ｂ）に対応した態様を示す図である。
【００６５】
図６（ａ）および同図（ｂ）に示すように、第２端部ブラケット３０２の基体となるブラケット本体３１は、固定部３１１と、固定部３１１から、壁面Ｗとは反対側になる外側へ斜め上方に延設された連結部３１３と、連結部３１３の上端に形成されて手すり本体２が挿入され挿入された手すり本体２を支持する支持部３１２とが、一体的に形成されたものである。図６（ａ）に示すように、固定部３１１は、表裏を貫通するねじ孔３１１ａ（図２（ｂ）参照）と、第１挿通孔３１１ｂとを有するものであり、固定部３１１は、ねじ孔３１１ａにねじ３３を通して壁面Ｗにねじ止めされている。連結部３１３は、支持部３１２の内周面３１２ａに通ずる第２挿通孔３１３ａを有している。この第２挿通孔３１３ａには、手すり本体２のＬＥＤユニット２２に接続された導線２３が挿通され、第２挿通孔３１３ａから導線２３の第２部分２３ｂが引き出されている。また、壁面Ｗには、第１挿通孔３１１ｂに対応する位置に壁孔Ｗａが形成されており、この壁孔Ｗａと第１挿通孔３１１ｂには、不図示の商用電源に接続された導線２３が挿通され、第１挿通孔３１１ｂから導線２３の第１部分２３ａが引き出されている。導線２３の第１部分２３ａと導線２３の第２部分２３ｂは、第１挿通孔３１１ｂと第２挿通孔３１３ａとの間の部分で結線されているが、図６（ａ）および同図（ｂ）では、結線される箇所を明確にするため、結線される前の状態を示している。なお、導線２３，２３は、壁面Ｗの裏側で結線してもよい。
【００６６】
蓋体３２は、導線２３の第１部分２３ａと導線２３の第２部分２３ｂ、およびねじ孔３１１ａに通されたねじ３３の頭部とを含めて、連結部３１３を外側から覆っている。これにより、第２端部ブラケット３０２の内部に配線された導線２３とねじ３３を隠すことができる。
【００６７】
図７は、第２実施形態の手すり設備における、図４（ａ）に対応した態様を示す分解斜視図である。
【００６８】
図７に示すように、第１端部ブラケット３０１は、支持部３１２における、手すり本体２の長手方向の一方側（図では左斜め下側）に、壁部３１２１が設けられている。この壁部３１２１には、小孔が複数形成されている。この第１端部ブラケット３０１は、例えば、支持する手すり本体の長手方向における一方側に壁部が設けられた市販のブラケットを用い、壁部に複数の小孔を形成することで作製することができる。このため、第１端部ブラケット３０１を容易に作成することが可能になる。また、この壁部３１２１は、手すり本体２の端面を覆うものであり、本発明における開放端面の一例に相当する。第１端部ブラケット３０１の支持部３１２には、リング状の第１クッション材６２、円盤状のスピーカ６、円盤状の第２クッション材６３、および手すり本体２が、記載順に挿入され、これらが支持部３１２に挿入された状態で第１端部ブラケット３０１と手すり本体２とが不図示のねじ等によって固定される。これにより、第１端部ブラケット３０１の支持部３１２内に、スピーカ６が、第１クッション材６２と第２クッション材６３とによって挟まれた状態で配置される。この結果、スピーカ６から出力された音声等の、いわゆるビビリ等が抑えられるとともに、手すり本体２における長手方向の寸法誤差なども吸収することができる。なお、図７では、手すり本体２の端面は簡略化して示している。
【００６９】
また、連結部３１３の第２挿通孔３１３ａには、スピーカ６の導線６１が挿通され、第２挿通孔３１３ａから導線６１の第２部分６１ｂが引き出されている。壁面Ｗにおける、固定部３１１の第１挿通孔３１１ｂに対応した部分には不図示の壁孔が形成され、この壁孔と第１挿通孔３１１ｂには、不図示のアンプ等に接続された導線が挿通され、第１挿通孔３１１ｂから導線の第１部分６１ａが引き出されている。導線２３の第１部分２３ａと導線２３の第２部分２３ｂは結線されているが、図７でも結線される前の状態を示している。なお、導線６１も、壁面Ｗの裏側で結線してもよい。
【００７０】
第２実施形態の第１端部ブラケット３０１においても、導線６１の第１部分６１ａおよび導線６１の第２部分６１ｂと、ねじ孔３１１ａに通されたねじ３３の頭部とを含めて、蓋体３２によって隠すことができる。
【００７１】
手すりユニット１は、図１に示すように、廊下等に単体で設置した手すり設備１０としてもよいし、複数の手すりユニット１を連接した手すり設備とすることもできる。
【００７２】
図８は、本発明の第３実施形態の手すり設備を、階段とその踊り場に設置した例を示す側面図である。
【００７３】
図８に示すように、階段Ｓの壁面Ｗに取り付けられた補強材４の表面には、手すりユニット１’が固定され、踊り場Ｌの壁面Ｗに取り付けられた補強材４の表面には、手すりユニット１’’が固定されている。手すりユニット１’は、３本の手すり本体２と、４つのブラケット３を備えたものである。手すりユニット１’の手すり本体２それぞれは、長手方向の長さが９００ｍｍ程度に設定されている。また、４つのブラケット３のうち、手すりユニット１’の長手方向両端部分には、図３（ａ）に示す第２端部ブラケット３０２が配置され、これら第２端部ブラケット３０２の間には、図２（ｂ）に示す中間ブラケット３０３が２つ配置されている。手すりユニット１’’は、長手方向の長さが１３５０ｍｍ程度の手すり本体２と、この手すり本体２の両端部分を支える２つの第２端部ブラケット３０２を備えたものである。
【００７４】
手すりユニット１’における、階段Ｓの最下段付近に配置された第２端部ブラケット３０２の内部には、不図示の商用電源に接続された導線２３が配線されている。手すりユニット１’の３本の手すり本体２それぞれに設けられた、図２に示す基板２２１は、導線やはんだ付け等によって、電気的に並列に接続されている。
【００７５】
図８では、手すりユニット１’の導線２３と手すりユニット１’’の導線２３が接続された部分を拡大し、円で囲んで示している。手すりユニット１’における、階段Ｓの最上段付近に配置された第２端部ブラケット３０２の内部には、基板２２１に接続された導線２３が配線されている。この導線２３は、第１挿通孔３１１ｂと補強材挿通孔４ａ（図３（ｂ）参照）に挿通され、配線空間Ｖ（図３（ｂ）参照）を通って、手すりユニット１’’の第２端部ブラケット３０２における第１挿通孔３１１ｂから第１部分２３ａが引き出されている。また、手すりユニット１’’の第２端部ブラケット３０２における第２挿通孔３１３ａから導線２３の第２部分２３ｂが引き出され、導線２３の第１部分２３ａと導線２３の第２部分２３ｂとが結線されている。これにより、手すり設備１０における、ＬＥＤユニット２２への配線の取り回しが容易になる。
【００７６】
なお、手すりユニット１’における、階段Ｓの最下段付近に配置された第２端部ブラケット３０２に、図４（ａ）に示すスピーカ６を内蔵した第１端部ブラケット３０１を用いてもよい。この態様では、図４（ａ）に示す、キャップ３１２２が垂直な姿勢になるように構成し、第１端部ブラケット３０１から水平方向に放音させてもよい。
【００７７】
また、本実施形態では、手すりユニット１’と手すりユニット１’’のブラケット３を補強材４に固定する態様を採用しているが、ブラケット３を、廊下等の壁面Ｗに直接固定してもよい。ブラケット３を壁面Ｗに固定する態様では、図６および図７に示す第２実施形態と同様に、ブラケット３の内部に配線された導線２３を壁面Ｗの裏側に取りまわせばよい。さらに、手すり設備１０は、平坦な床面が続く廊下の壁面に、複数の手すりユニット１を間隔をあけて連設してもよいし、複数の手すりユニット１を廊下の曲り角を挟んで連接してもよい。
【００７８】
以上説明した、手すりユニット１および手すり設備１０によれば、ＬＥＤユニット２２への配線の取り回しが容易になる。
【００７９】
本発明は上述の実施の形態に限られることなく特許請求の範囲に記載した範囲で種々の変更を行うことが出来る。例えば、上記実施形態では、握り棒２１とブラケット３を別体に構成したが、握り棒２１とブラケット３とを一体に構成してもよい。こうすることで、ブラケット３を補強材４に固定すればＬＥＤユニット２２の照射方向が定まる。このため、手すりユニット１を補強材４に固定する際に、ＬＥＤユニット２２の照射方向の調整を不要にすることができ、ブラケット３と握り棒２１との間に生じる段差をなくすことも容易になる。
【００８０】
なお、以上説明した実施形態や変形例の記載それぞれにのみ含まれている構成要件であっても、その構成要件を他の実施形態や他の変形例に適用してもよい。
【符号の説明】
【００８１】
１，１’，１’’    手すりユニット
１０    手すり設備
２    手すり本体
２１    握り棒
２２    ＬＥＤユニット
２２１    基板
２２２    ＬＥＤ
２３，６１    導線
２３ａ，６１ａ    第１部分
２３ｂ，６１ｂ    第２部分
３    ブラケット
３０１    第１端部ブラケット
３０２    第２端部ブラケット
３０３    中間ブラケット
３１    ブラケット本体
３１１    固定部
３１１ａ    第１挿通孔
３１２    支持部
３１２ａ    内周面
３１３    連結部
３１３ａ    第２挿通孔
３２    蓋体
４    補強材
６    スピーカ
６２    第１クッション材
６３    第２クッション材
Ｖ    配線空間
Ｗ    壁面
【図１】
2015183394.tif 000003
【図２】
2015183394.tif 000004
【図３】
2015183394.tif 000005
【図４】
2015183394.tif 000006
【図５】
2015183394.tif 000007
【図６】
2015183394.tif 000008
【図７】
2015183394.tif 000009
【図８】
2015183394.tif 000010